(57)【要約】【課題】タッチ入力部及び検知電極の位置設定が容易で、しかもタッチ入力の誤検知を確実に防止できるようにする。【解決手段】トッププレート１６の上面には、誘導加熱コイルの加熱条件などを設定するためのタッチ入力部２２Ａが形成され、トッププレート１６の下方に配置された電極基板２６には、タッチ入力部２２Ａへの人体接触を検知するための検知電極２８ａが形成されている。電極基板２６には、さらにこの検知電極２８Ａに対して配線部２８Ａｈを介して導通する形態で基板側出力部２８Ａｅが設けられている。トッププレート１６と電極基板２６との間には、検知電極２２Ａを覆う形態に、誘電体３６が介在されている。この誘電体３６は、基板側出力部２８Ａｅ部分とトッププレート１６との間に空隙Ｇを形成している。【選択図】図１
2008108555.tif 000002
【特許請求の範囲】
【請求項１】
上面の開口にトッププレートを備えると共に、このトッププレートの下方に加熱手段を備えた調理器本体と、
このトッププレートの上面に形成され、前記加熱手段の加熱条件などを設定するためのタッチ入力部と、
前記トッププレートの下方に配置された電極基板に形成され、前記タッチ入力部への人体接触を検知するための検知電極と、
この検知電極に対して配線部を介して導通する形態で前記電極基板に設けられ、前記検知電極で検知した電気信号を前記電極基板から出力するための基板側出力部と、
前記トッププレートと前記電極基板との間に、前記検知電極を覆う形態に介在され、且つ前記基板側出力部部分と前記トッププレートとの間に空隙を形成する誘電体と
を備えたことを特徴とする加熱調理器。
【請求項２】
基板側出力部は電極基板の下面に設けられていることを特徴とする請求項１に記載の加熱調理器。
【請求項３】
電極基板は両面基板から構成し、検知電極をこの電極基板の上面に形成すると共に、基板側出力部をこの電極基板の下面に設け、配線部は、スルーホールを有して検知電極と基板側出力部とを導通する構成であることを特徴とする請求項１に記載の加熱調理器。
【請求項４】
基板側出力部に基板対基板型のコネクタを接続し、このコネクタには、検知電極からの電気信号を受けて人体の接触の有無を検出するための検出回路基板がほぼ垂直状態に接続されていることを特徴とする請求項２又は３に記載の加熱調理器。
【請求項５】
トッププレートの下方に、このトッププレートとの間で電極基板を介在させる形態でトッププレート保持部材が設けられ、このトッププレート保持部材における検知電極対向部分に孔を形成し、この孔部分に上下方向に弾力性を有する緩衝部材を設け、この緩衝部材を下方から上方へ押圧する金属板製の押圧部材を設けたことを特徴とする請求項１に記載の加熱調理器。
【請求項６】
緩衝部材は電極基板に間接的に取着されていることを特徴とする請求項５に記載の加熱調理器。
【請求項７】
緩衝部材は電極基板の位置決めをすることを特徴とする請求項５に記載の加熱調理器。
【発明の詳細な説明】
【技術分野】
【０００１】
本発明は、トッププレート上にタッチ入力部を備えた加熱調理器に関する。
【背景技術】
【０００２】
従来、加熱調理器において、トッププレート上にタッチ入力部を備えたものとして、例えば特許文献１に示されるものがある。この特許文献１には、トッププレートプレート上面にタッチ入力部を形成し、トッププレート下方に検知電極を形成している。そして、この検知電極で検知した電気信号（静電容量変化）を信号処理するために検知回路基板をトッププレート下方部にほぼ水平状態に設けており、この検知回路基板に接続用の導体板をほぼ垂直に立設し、この導体板の上端を前記検知電極に直接当接させて電気的に接続する構成としている。
【特許文献１】特開２００５−３８７３９（図７）
【発明の開示】
【発明が解決しようとする課題】
【０００３】
上記特許文献１では、検知電極自体が接続用の導体板と直接接続する構成であるため、検知電極の形成位置ひいては該検知電極と対をなすタッチ入力部の形成位置が、導体板ひいては検知回路基板の配置位置に制限されてしまい、タッチ入力部及び検知電極の配置設計の自由度が低いといった不具合がある。例えば、タッチ入力部の操作性及び安全性を考慮して、手指が届きやすく且つ加熱部から遠いトッププレート前端部に、タッチ入力部及び電極を形成したくても、それがなかなかできないというのが実情である。
【０００４】
この対策として、検知電極と、この検知電極で検知した電気信号を出力する出力部とを配線部で接続し、出力部に検知回路基板などを接続できるようにする構成を考えている。この構成であれば検知電極ひいてはタッチ入力部の設置位置を出力部の位置に制限されずに設定することが可能となる。逆に言えば、出力部の位置の設定の自由度も増すものである。
【０００５】
ところがこの場合、前記出力部近くに人体の手指などが接近すると、この部分で人体検知の電気信号が発生していわゆるタッチ入力有りと誤検知するおそれがある。
本発明は上述の事情に鑑みてなされたものであり、タッチ入力部及び検知電極の位置設定が容易で、しかもタッチ入力の誤検知を確実に防止できる加熱調理器を提供することにある。
【課題を解決するための手段】
【０００６】
本発明は、上面の開口にトッププレートを備えると共に、このトッププレートの下方に加熱手段を備えた調理器本体と、このトッププレートの上面に形成され、前記加熱手段の加熱条件などを設定するためのタッチ入力部と、前記トッププレートの下方に配置された電極基板に形成され、前記タッチ入力部への人体接触を検知するための検知電極と、この検知電極に対して配線部を介して導通する形態で前記電極基板に設けられ、前記検知電極で検知した電気信号を前記電極基板から出力するための基板側出力部と、前記トッププレートと前記電極基板との間に、前記検知電極を覆う形態に介在され、且つ前記基板側出力部部分と前記トッププレートとの間に空隙を形成する誘電体とを備えたところに特徴を有する。
【０００７】
この発明においては、トッププレートの下方に配置される電極基板に、タッチ入力部への人体接触を検知する検知電極を形成すると共に、前記検知電極で検知した電気信号を前記電極基板から出力するために配線部を介して基板側出力部を設けた構成としたから、検知電極を人体接触検知に適した位置に形成することができ、基板側出力部を検知回路基板などの位置に合わせた位置に設けることができる。しかも、基板側出力部部分とトッププレートとの間に空隙を形成するから、人体接触についての誤検知を防止できる。しかもこの空隙を確保するについて、誘電体を前記トッププレートと前記電極基板との間に、前記検知電極を覆う形態に介在させる構成により確保するから、検知電極での静電容量変化を確実に検出できて、タッチ入力部での人体接触検知の精度を向上できる。
【発明の効果】
【０００８】
本発明によれば、タッチ入力部及び検知電極さらには基板側出力部の位置設定が容易で、しかもタッチ入力の誤検知を確実に防止できる。
【発明を実施するための最良の形態】
【０００９】
以下、本発明をシステムキッチンに組み込まれる加熱調理器に適用した第１の実施例を図１〜図７を参照しながら説明する。図２には、キッチンキャビネット１に、加熱調理器２が組み込まれた状態の外観斜視図が示されている。また、図３は、トッププレートを外した状態で示す調理器本体３の平面図である。加熱調理器２の調理器本体３は、キャビネット１に設けられた開口４に落とし込み状態に組み込まれている。この調理器本体３の下部には、ロースタ部５が設けられている。
【００１０】
前記調理器本体３は、図３に示すように、上面が開口しており、内部の手前側に加熱手段としての二つの誘導加熱コイル８、９が設けられ、また中央奥部に別の加熱手段として例えばラジエントヒータからなるヒータ１０が設けられている。また、この調理器本体３内には、主回路基板１１が主回路基板ホルダ１１ａ（図４参照）を介して配設されており、この主回路基板１１には、図１、図３及び図４にも示すように、多数の加熱強度表示用の発光ダイオード１２が実装されていると共に、例えば蛍光表示管からなる表示器１３が実装されている。さらに、調理器本体３の開口３ａ内面には、図１及び図４に示すように、検出回路基板１４（後述する）が配置されるようになっている。
【００１１】
図３及び図４に示すように、前記調理器本体３の開口３ａの周縁部にはトッププレート保持体としてのフランジ部１５が設けられており、このフランジ部１５が前記キャビネット１の開口４の縁部に配置されている。このフランジ部１５の隆起部１５ａが次に述べるトッププレート１６を当接支持した形態で接着されている。
【００１２】
さらに、図１、図２及び図４に示すように、前記調理器本体３の上面には、開口３ａを覆うように、つまり前記誘導加熱コイル８、９及びヒータ１０を上方から覆うように、耐熱ガラス製のトッププレート１６が設けられている。この場合、このトッププレート１６の周縁部１６ａは前記フランジ部１５前記隆起部１５ａにより支えられている。このトッププレート１６において、図２に示すように、左右の誘導加熱コイル８、９及びヒータ１０の上方に対応する部位はそれぞれ円形の加熱部１７、１８、１９とされている。表示部１７ａ、１８ａ、１９ａの内部領域が加熱部１７、１８、１９に相当する。
【００１３】
前記トッププレート１６において、加熱部１７、１８の前側には、前記発光ダイオード１２に対応して加熱強度表示部２０Ａ、２０Ｂ（図５参照）が形成されている。
さらに、このトッププレート１６の前縁部部分上面には、図５に示すように、前記加熱部１７の前方左側に位置して誘導加熱コイル８の加熱強度設定用タッチ入力部２１Ａ、単一タッチ入力部２２Ａ〜２５Ａが設けられている。また前記加熱部１８の前方右側に位置して誘導加熱コイル９の加熱強度設定用タッチ入力部２１Ｂ、単一タッチ入力部２２Ｂ〜２５Ｂが設けられている。加熱強度設定用タッチ入力部２１Ａと２１Ｂとは基本的に同じ構成であり、また、単一タッチ入力部２２Ａ〜２５Ａと２２ｂ〜２５Ｂとは基本的に同じ構成であるので、加熱強度設定用タッチ入力部２１Ａと、単一タッチ入力部２２Ａ〜２５Ａとについて述べる。
【００１４】
加熱強度設定用タッチ入力部２１Ａは、手指の接触位置を任意に変更できる長さの接触領域を有する形態に、つまり長尺形態に、トッププレート１６上に印刷膜により形成されている。単一タッチ入力部２２Ａないし２５Ａも、トッププレート１６上に印刷膜により形成されている。
単一タッチ入力部２２Ａは、加熱手段選定用タッチ入力部たるものであり、使用する誘導加熱コイルとして誘導加熱コイル８を選定し且つ電源を入り・切りするためのものである。
【００１５】
単一タッチ入力部２３Ａは、メニュー設定タッチ入力部たるものであり、誘導加熱コイル８による加熱モードを、「通常加熱」以外の天ぷらや煮込みなどの加熱モードに設定するためのものである。単一タッチ入力部２４Ａは、誘導加熱コイル８による加熱の調理時間を設定するためのものである。また単一タッチ入力部２５Ａは選定や設定の取消を行うためのものである。
【００１６】
単一タッチ入力部２２Ａ〜２５Ａ及び２２Ｂ〜２５Ｂは、トッププレート１６の手前部ほぼ中央部に配置され、これら単一タッチ入力部２２Ａ〜２５Ａ及び２２Ｂ〜２５Ｂの両側に前記加熱強度設定用タッチ入力部２１Ａ、２１Ｂが配置された形態である。なお、単一タッチ入力部２２Ａ〜２５Ａと、２２Ｂ〜２５Ｂとは左右対称配置形である。
前記トッププレート１６の下方には両面基板から構成された電極基板２６は設けられている。この電極基板２６の上面には、図５に示すように、複数の検知電極２７Ａ、複数の検知電極２７Ｂ、２８Ａ〜３１Ａ、２８Ｂ〜３１Ｂが導体パターンにより形成されている。
【００１７】
このうち複数の検知電極２７Ａは、加熱強度設定用タッチ入力部２１Ａに対応して所定の間隔に形成されている。また複数の検知電極２７Ｂは、加熱強度設定用タッチ入力部２１Ｂに対応して所定の間隔に形成されている。前記検知電極２８Ａ〜３１Ａは、前記タッチ入力部２２Ａ〜２５Ａにそれぞれ対応し、前記検知電極２８Ｂ〜３１Ｂは、前記タッチ入力部２２Ｂ〜２５Ｂにそれぞれ対応している。
【００１８】
前記検知電極２８Ａ〜３１Ａ、２８Ｂ〜３１Ｂには、図６に示すように、導体パターンからなる配線部２８Ａｈ〜３１Ａｈ、２８Ｂｈ〜３１Ｂｈが接続されており、各配線部２８Ａｈ〜３１Ａｈ、２８Ｂｈ〜３１Ｂｈは基本的に同じ構成であるので、配線部２８Ａｈを代表して述べると、この配線部２８Ａｈは、図１に示すように、検知電極２８Ａから下面まで形成したスルーホール２８Ａｈ１と下側配線部２８Ａｈ２とから構成されている。
【００１９】
そして、この配線部２８Ａｈの終端部は、基板側出力部２８Ａｅたるものである。
なお、複数の検知電極２７Ａに対応する配線部２７Ａｈは、図７にも示すように、両端の検知電極２７Ａから同様にして導出されている。また、複数の検知電極２７Ｂに対応する配線部２７Ｂｈも、同じく図７に示すように、両端の検知電極２７Ｂから同様にして導出されている。
【００２０】
各配線部２７Ａｈ、２７Ｂｈ、２８Ａｈ〜３１Ａｈ、２８Ｂｈ〜３１Ｂｈの基板側出力部２７Ａｅ、２７Ｂｅ、２８Ａｅ〜３１Ａｅ、２８Ｂｅ〜３１Ｂｅは、ほぼ一箇所に配置されていて、前記コネクタ３２（図１参照）の端子に半田付けにより導通接続されている。この場合、この半田付けは、いわゆるクリーム半田を上記基板側出力部２７Ａｅ、２７Ｂｅ、２８Ａｅ〜３１Ａｅ、２８Ｂｅ〜３１Ｂｅと前記コネクタ３２の各端子との間に配置させて加熱することにより、行われている。
【００２１】
前記コネクタ３２は、基板対基板型のコネクタから構成され、このコネクタ３２には検出回路基板１４のボードエッジコネクタが接続されており、この検出回路基板１４は、キャビネット１と前記誘導加熱コイル８、９との間において、垂直状態となっている。この検出回路基板１４には後述する回路が形成されており、さらに別のコネクタ３４が設けられている。このコネクタ３４にハーネスコネクタ３５の一端が接続されており、このハーネスコネクタ３５の他端は前記主回路基板１１に接続されている。
【００２２】
ここで、前記トッププレート１６と前記電極基板２６との間には、板状の誘電体３６が、前記検知電極２７Ａ、２７Ｂ、２８Ａ〜３１Ａ、２８Ｂ〜３１Ｂ部分のみを覆う形態に介在されている。この誘電体３６により、前記基板側出力部２７Ａｅ、２７Ｂｅ、２８Ａｅ〜３１Ａｅ、２８Ｂｅ〜３１Ｂｅ部分と前記トッププレートとの間に空隙Ｇを形成している。
【００２３】
なお、前記電極基板２６と前記フランジ部１５との間には板状の絶縁体３７が介在されている。また、フランジ部１５の端部にはパッキン２９、３０が設けられている。
誘導加熱コイル８、９に関する概略的な電気的構成を示す図７において、前記検知電極２７Ａ、２８Ａ〜３１Ａに関連する構成と、他の検知電極２７Ｂ、２８Ｂ〜３１Ｂに関連する構成とは基本的におなじであるので、前者について説明する。まず、制御手段である制御回路３８はマイクロコンピュータを含んで構成されている。この制御回路３８には、インバータ制御回路３９Ａ、３９Ｂ及びタッチ位置検知回路４０Ａ、４０Ｂ、操作検知回路５１Ａ〜５４Ａ、５１Ｂ〜５４Ｂが接続されている。前記インバータ制御回路３９Ａ、３９Ｂは、それぞれ、誘導加熱コイル８、９に高周波電流を供給するインバータ８Ｉ、９Ｉを制御する。
【００２４】
前記タッチ位置検知回路４０Ａは、複数の検知電極２７Ａと、インピーダンス回路４１Ａと、加熱強度設定用接触検知回路４２、４３とを含んで構成されている。インピーダンス回路４１Ａは、複数のインピーダンス素子４４を直列に接続して構成され、このインピーダンス回路４１Ａに対して前記複数の検知電極２７Ａを同図に示すように接続している。インピーダンス回路４１Ａの両端には、発振回路４５の発振出力がコンデンサ４６、４７を介して与えられる。
【００２５】
加熱強度設定用接触検知回路４２、４３は集積回路から構成されており、前記インピーダンス回路４１Ａの両端出力をそれぞれ信号処理するものであり、ダイオード４８と、抵抗４９とチャージコンデンサ５０とを有した構成である。上記加熱強度設定用接触検知回路４２、４３はタッチ入力部２１Ａに対する手指の接触位置を前記複数の検知電極２７Ａのいずれかの静電容量変化により検出して、手指の接触位置に応じた信号４２ｖ、４３ｖを制御回路３８に出力する。
【００２６】
検知電極２８Ａ〜３１Ａ、２８Ｂ〜３１Ｂに対応して、それぞれ図１に示す操作検知回路５１Ａ〜５４Ａ、５１Ｂ〜５４Ｂが設けられている。これら操作検知回路５１Ａ〜５４Ａ、５１Ｂ〜５４Ｂは基本的に同じ構成であるので、操作検知回路５１Ａを代表して述べる。
【００２７】
操作検知回路５１Ａは、コンデンサ５５と、前記検知電極２８Ａと、選定用接触検知回路５６とを有して構成されている。前記発振回路４５の発振出力は前記コンデンサ５５、検知電極２８Ａ、配線部２８Ａｈ、コネクタ３２を介して、選定用接触検知回路５６の入力端子に与えられるようになっている。この選定用接触検知回路５６も、前記加熱強度設定用接触検知回路４２、４３と同じ構成であって、集積回路から構成されている。
【００２８】
この選定用接触検知回路５６の出力はハーネスコネクタ３５を介して前記制御回路３８に与えられる。
前記タッチ位置検知回路４０Ａ及び４０Ｂのインピーダンス回路４４、発振回路４５、コンデンサ４６、４７、５５は、電極基板２６に実装されている。また、加熱強度設定用接触検知回路４２、４３、及び他の接触検知回路５６は検出回路基板１４に実装されている。
【００２９】
上記構成の作用について説明する。例えば、ユーザーが誘導加熱コイル８を使用して加熱調理を行いたい場合には、単一タッチ入力部２２Ａに手指を接触させる。当該タッチ入力部２２Ａに対応する検知電極２８Ａが人体による静電容量結合を介してアース側に電流が流れるため、単一タッチ入力部２２Ａに対応する操作検知回路５１Ａの選定用接触検知回路５６が接触検知信号（電気信号）を出力して制御回路３８に与え、制御回路３８は、誘導加熱コイル８を選定する。
【００３０】
また、ユーザーが加熱強度を設定するために、例えば加熱強度設定用タッチ入力部２１Ａにおける適宜部分に手指を接触させると、当該接触部分に対応する検知電極２７Ａが人体による静電容量結合を介してアース側に電流が流れるため、当該検知電極２７Ａを分岐点としてインピーダンス回路４１Ａのインピーダンス比が異なり、出力信号４２ｖと、４３ｖとの比が異なり、制御回路３８がこの比をもって、ユーザーの手指の接触位置、つまり加熱強度の設定強度を判定する。そして制御回路３８は、この判定結果に応じて設定された加熱強度に対応する発光ダイオード１２を点灯させ、また、この判定結果に応じてインバータ制御回路３９Ａ及びインバータ８Ｉを介して誘導加熱コイル８を制御する。
【００３１】
上述した本実施例によれば、トッププレート１６の下方に配置される電極基板２６に、タッチ入力部２１Ａ、２１Ｂ、２２Ａ〜２５Ａ、２２Ｂ〜２５Ｂへの人体接触を検知する検知電極２７Ａ、２７Ｂ、２８Ａ〜３１Ａ、２８Ｂ〜３１Ｂを形成すると共に、これら検知電極２７Ａ、２７Ｂ、２８Ａ〜３１Ａ、２８Ｂ〜３１Ｂで検知した電気信号を前記電極基板２６から出力するために配線部２７Ａｈ、２７Ｂｈ、２８Ａｈ〜３１Ａｈ、２８Ｂｈ〜３１Ｂｈを介して基板側出力部２７Ａｅ、２７Ｂｅ、２８Ａｅ〜３１Ａｅ、２８Ｂｅ〜３１Ｂｅを設ける構成としたから、検知電極２７Ａ、２７Ｂ、２８Ａ〜３１Ａ、２８Ｂ〜３１Ｂを人体接触検知に適した位置に形成することができ、基板側出力部２７Ａｅ、２７Ｂｅ、２８Ａｅ〜３１Ａｅ、２８Ｂｅ〜３１Ｂｅを検出回路基板１４などに合わせた位置に設けることができる。しかも、基板側出力部２７Ａｅ、２７Ｂｅ、２８Ａｅ〜３１Ａｅ、２８Ｂｅ〜３１Ｂｅ部分とトッププレート１６との間に空隙Ｇを形成するから、ユーザーの手指がこの部分Ａ（図１参照）を触れるようなことがあっても、基板側出力部２７Ａｅ、２７Ｂｅ、２８Ａｅ〜３１Ａｅ、２８Ｂｅ〜３１Ｂｅ部分の静電容量の変化が極めて少なく、人体接触についての誤検知を防止できる。
【００３２】
また、加熱された鍋などの熱がこの基板側出力部２７Ａｅ、２７Ｂｅ、２８Ａｅ〜３１Ａｅ、２８Ｂｅ〜３１Ｂｅ部分に影響することが少なくなり、コネクタ３２との半田付け部分に熱が影響することを防止できる。しかもこの空隙Ｇを確保するについて、誘電体３６を前記トッププレート１６と前記電極基板２６との間に、前記検知電極２７Ａ、２７Ｂ、２８Ａ〜３１Ａ、２８Ｂ〜３１Ｂのみを覆う形態に介在させる構成により確保するから、検知電極２７Ａ、２７Ｂ、２８Ａ〜３１Ａ、２８Ｂ〜３１Ｂでの静電容量変化を確実に検出できて、タッチ入力部２１Ａ、２１Ｂ、２２Ａ〜２５Ａ、２２Ｂ〜２５Ｂでの人体接触検知の精度を向上できる。この結果、本実施例によれば、タッチ入力部２１Ａ、２１Ｂ、２２Ａ〜２５Ａ、２２Ｂ〜２５Ｂ及び検知電極２７Ａ、２７Ｂ、２８Ａ〜３１Ａ、２８Ｂ〜３１Ｂさらには基板側出力部２７Ａｅ、２７Ｂｅ、２８Ａｅ〜３１Ａｅ、２８Ｂｅ〜３１Ｂｅの位置設定が容易で、しかも誤検知を確実に防止できる。
【００３３】
また、本実施例によれば、基板側出力部２７Ａｅ、２７Ｂｅ、２８Ａｅ〜３１Ａｅ、２８Ｂｅ〜３１Ｂｅを、電極基板２６の下面に設けたから、前記トッププレート１６からさらに離間することとなり、タッチ入力の誤検知防止をさらに確実とすることができる。
【００３４】
また、本実施例によれば、電極基板２６を両面基板から構成し、検知電極２７Ａ、２７Ｂ、２８Ａ〜３１Ａ、２８Ｂ〜３１Ｂをこの電極基板２６の上面に形成すると共に、基板側出力部２７Ａｅ、２７Ｂｅ、２８Ａｅ〜３１Ａｅ、２８Ｂｅ〜３１Ｂｅをこの電極基板２６の下面に設け、配線部２７Ａｈ、２７Ｂｈ、２８Ａｈ〜３１Ａｈ、２８Ｂｈ〜３１Ｂｈを、スルーホール（スルーホール２８Ａｈ１のみ図１に図示）を有して検知電極２７Ａ、２７Ｂ、２８Ａ〜３１Ａ、２８Ｂ〜３１Ｂと基板側出力部２７Ａｅ、２７Ｂｅ、２８Ａｅ〜３１Ａｅ、２８Ｂｅ〜３１Ｂｅとを導通する構成であるから、電極基板２６上面の検知電極２７Ａ、２７Ｂ、２８Ａ〜３１Ａ、２８Ｂ〜３１Ｂの電気信号を電極基板２６下面の基板側出力部２７Ａｅ、２７Ｂｅ、２８Ａｅ〜３１Ａｅ、２８Ｂｅ〜３１Ｂｅに良好に導くことができる。
【００３５】
また、本実施例によれば、基板側出力部２７Ａｅ、２７Ｂｅ、２８Ａｅ〜３１Ａｅ、２８Ｂｅ〜３１Ｂｅに基板対基板型のコネクタ３２を接続し、このコネクタ３２には、検知電極２７Ａ、２７Ｂ、２８Ａ〜３１Ａ、２８Ｂ〜３１Ｂからの電気信号を受けて人体の接触の有無を検出するための検出回路基板１４を、ほぼ垂直状態に接続する構成としたから、検出回路基板１４に実装された電子部品に、鍋などから熱影響を少なくできる。つまり、仮に、検出回路基板１４を誘導加熱コイル８、９の下方に水平状態で設ける構成とすると、検出回路基板１４が鍋などの熱影響を直接受けて、動作の信頼性低下が懸念されるが、本実施例では、そのようなことはない。しかも、検出回路基板１４を誘導加熱コイル８、９とタッチ入力部２１Ａ、２１Ｂ、２２Ａ〜２５Ａ、２２Ｂ〜２５Ｂとの間に、ほぼ垂直に位置させることで、狭い空間を有効に利用できる。特にこの場合、検出回路基板１４を加熱強度表示部２０Ａ、２０Ｂ（発光ダイオード１２群）と調理器本体３との間に設けたので、空間を有効に利用できる。
【００３６】
図８及び図９は本発明の第２の実施例を示し、この実施例においては、次の点が第１の実施例と異なる。すなわち、フランジ部１５における検知電極２７Ａ、２７Ｂ、２８Ａ〜３１Ａ、２８Ｂ〜３１Ｂ対向部分に例えば矩形状の孔６１を形成し、この孔６１部分に上下方向に弾力性を有するほぼ円柱状の緩衝部材６２、６２を設け、この緩衝部材６２を下方から上方へ押圧する金属板製の押圧部材６３を設けている。この場合、緩衝部材６２は、絶縁体３７に取着されており、つまり、電極基板２６に間接的に取着されている。
【００３７】
そして、この緩衝部材６２は、調理器本体３に対する電極基板２６の位置決めをするものである。すなわち、調理器本体３のフランジ部１５の孔６１の対角方向の隅部に前記緩衝部材６２が係合することにより、電極基板２６の前後左右の位置決めがなされる。この場合、各孔６１に対し一つの緩衝部材６２を嵌合させるようにしても良く、この場合、孔６１ごとに異なる隅部に緩衝部材６２を係合させるようにすれば、前後左右に位置決めできる。
【００３８】
この第２の実施例によれば、トッププレート保持部材であるフランジ部１５における検知電極２７Ａ、２７Ｂ、２８Ａ〜３１Ａ、２８Ｂ〜３１Ｂ対応部分に孔６１を形成したから、各検知電極２７Ａ、２７Ｂ、２８Ａ〜３１Ａ、２８Ｂ〜３１Ｂとフランジ部１５との間の浮遊容量を低減できて、接触検知精度を向上できる。しかも、この孔６１部分に上下方向に弾力性を有する緩衝部材６２を設け、この緩衝部材６２を下方から上方へ押圧する押圧部材６３を設けたから、電極基板２６と誘電体３６との間、誘電体３６とトッププレート１６との間に隙間ができることがなく、接触検知精度がさらに向上する。しかも、押圧部材６３が金属板製であるので、キャビネット１が木製であっても金属（例えばステンレス）製であっても、電気的に安定する。
【００３９】
また、緩衝部材６２は電極基板２６に絶縁体３７を介して間接的に取着されているから、該緩衝部材６２を電極基板２６の導体パターンに形成位置に関係なく、取着できる。なお、緩衝部材６２は、導体パターンの形成位置を避ければ、電極基板２６に直接取着しても良い。
【００４０】
また、本実施例によれば、緩衝部材６２により電極基板２６の位置決めをするから、製造時に予め電極基板２６をトッププレート１６に貼り付けておく必要がなく、調理器本体３のフランジ部１５にトッププレート１６を接着により接合するときに電極基板２６を適正位置に位置決めできて、組立性の向上を図ることができる。
【００４１】
なお、本発明は、上記した実施例に限定されるものではなく、適宜変更して実施することができる。例えば、基板側出力部２７Ａｅ、２７Ｂｅ、２８Ａｅ〜３１Ａｅ、２８Ｂｅ〜３１Ｂｅは、検知電極２７Ａ、２７Ｂ、２８Ａ〜３１Ａ、２８Ｂ〜３１Ｂと同じ電極基板２６上面に形成し、この基板側出力部２７Ａｅ、２７Ｂｅ、２８Ａｅ〜３１Ａｅ、２８Ｂｅ〜３１Ｂｅに適宜接続端子などを導通接続させるようにしても良く、この場合も前記空隙Ｇにより、タッチ入力の誤検知を防止できると共に、導通接続を半田付けによって行う場合には、半田部分への熱影響を少なくできる。また、基板側出力部２７Ａｅ、２７Ｂｅ、２８Ａｅ〜３１Ａｅ、２８Ｂｅ〜３１Ｂｅは、一箇所にまとめて設けなくとも良い。
【図面の簡単な説明】
【００４２】
【図１】本発明の第１の実施例を示し、タッチ入力部及び検知電極並びに電極基板部分の縦断側面図
【図２】加熱調理器をキッチンキャビネットに組み込んで示す斜視図
【図３】トッププレートを省略して示す平面図
【図４】電極基板、検知回路基板、主回路基板部分の縦断側面図
【図５】タッチ入力部部分の平面図
【図６】図１のＱ−Ｑ線に沿う平面図
【図７】電気的構成のブロック図
【図８】本発明の第２の実施例を示す図１相当図
【図９】キッチンキャビネット組込み前で押圧部材を分離した状態の図１相当図
【符号の説明】
【００４３】
図面中、１はキッチンキャビネット、２は加熱調理器、３は調理器本体、８、９は誘導加熱コイル（加熱手段）、１０はヒータ（加熱手段）、１４は検出回路基板、１６はトッププレート、２１Ａ、２１Ｂは加熱強度設定用タッチ入力部（タッチ入力部）、２２Ａ〜２５Ａ、２２Ｂ〜２５Ｂは単一タッチ入力部（タッチ入力部）、２６は電極基板、２７Ａ、２７Ｂ、２８Ａ〜３１Ａ、２８Ｂ〜３１Ｂは検知電極、２７Ａｈ、２７Ｂｈ、２８Ａｈ〜３１Ａｈ、２８Ｂｈ〜３１Ｂｈは配線部、２７Ａｅ、２７Ｂｅ、２８Ａｅ〜３１Ａｅ、２８Ｂｅ〜３１Ｂｅは基板側出力部、３２はコネクタ、３７は誘電体、６１は孔、６２は緩衝部材、６３は押圧部材を示す。
【図１】
2008108555.tif 000003
【図２】
2008108555.tif 000004
【図３】
2008108555.tif 000005
【図４】
2008108555.tif 000006
【図５】
2008108555.tif 000007
【図６】
2008108555.tif 000008
【図７】
2008108555.tif 000009
【図８】
2008108555.tif 000010
【図９】
2008108555.tif 000011